(57)【要約】  シミュレーション装置は、店舗等の施設内を移動する人の流れを示す人流情報と、施設で購入された商品またはサービスを示す購入データと、施設内に配置された商品またはサービスの価格を示す価格情報とを取得する取得部と、人流情報に基づいて、人流モデルを生成する人流モデル生成部と、購入データと人流情報とに基づいて、購入モデルを生成する購入モデル生成部と、価格情報と人流モデルと購入モデルとに基づいて、施設内を移動する人の商品またはサービスの購入額の予測値を算出するシミュレーション実行部と、を備える。
2018008203.tif 000002
【特許請求の範囲】
【請求項１】
施設内の商品またはサービスの購入額をシミュレーションするシミュレーション装置であって、
前記施設内を移動する人の流れを示す人流情報と、前記施設で購入された商品またはサービスを示す購入データと、前記施設内に配置された商品またはサービスの価格を示す価格情報と、を取得する取得部と、
前記人流情報に基づいて、人流モデルを生成する人流モデル生成部と、
前記購入データと前記人流情報とに基づいて、購入モデルを生成する購入モデル生成部と、
前記価格情報と前記人流モデルと前記購入モデルとに基づいて、前記施設内を移動する人の商品またはサービスの購入額の予測値を算出するシミュレーション実行部と、を備える、
シミュレーション装置。
【請求項２】
前記取得部は、複数のエリアで構成される前記施設内の各エリアの範囲を示すエリア情報と、前記施設内に配置された商品またはサービスの位置を示す位置情報とをさらに取得し、
前記人流モデル生成部は、前記エリア情報と前記人流情報とに基づいて、人が隣接するエリア間を移動する遷移確率を示す遷移確率情報を前記人流モデルとして生成し、
前記購入モデル生成部は、前記位置情報と前記購入データと前記エリア情報と前記人流情報とに基づいて、商品またはサービスの購入率を示す購入率情報を前記購入モデルとして生成し、
前記シミュレーション実行部は、前記価格情報と前記位置情報と前記遷移確率情報と前記購入率情報とに基づいて、前記施設内を移動する人の商品またはサービスの購入額の予測値を算出する、
請求項１に記載のシミュレーション装置。
【請求項３】
前記施設内を撮影した監視カメラの映像を受信する受信部と、
前記映像に映っている人を識別し、識別した人の位置を時系列で抽出することによって前記人流情報を生成する動線情報生成部と、をさらに備える、
請求項２に記載のシミュレーション装置。
【請求項４】
前記施設内を撮影した監視カメラの映像を受信する受信部と、
前記映像に映っている、隣接するエリア間を移動した人の数を計測して、前記隣接するエリア間を移動した人の数に基づいて前記人流情報を生成する流出入情報生成部と、をさらに備える、
請求項２に記載のシミュレーション装置。
【請求項５】
前記シミュレーション実行部は、
前記遷移確率情報に基づいて、第１の所定エリアから第２の所定エリアに到達する複数の経路のそれぞれを人が通る確率である通過確率を算出し、
前記通過確率が高い順に所定数の経路に配置されている商品またはサービスの購入率及び価格に基づいて、前記第１の所定エリアから前記第２の所定エリアに移動する人の商品またはサービスの購入額の予測値を算出する、
請求項２から請求項４までのいずれか１項に記載のシミュレーション装置。
【請求項６】
ユーザ入力に基づいて、前記位置情報、前記遷移確率情報、及び前記購入率情報のうちの少なくとも１つを変更するパラメータ設定部をさらに有し、
前記シミュレーション実行部は、前記パラメータ設定部の変更に基づいて、商品購入額の予測値を算出する、
請求項２から請求項５までのいずれか１項に記載のシミュレーション装置。
【請求項７】
パラメータセットは、前記位置情報、前記遷移確率情報、及び前記購入率情報を含み、
前記パラメータ設定部は、前記位置情報、前記遷移確率情報、及び前記購入率情報のうちの少なくとも１つを変更して、前記パラメータセットを複数個生成し、
前記シミュレーション実行部が算出した商品またはサービスの購入額の予測値が最大となる前記パラメータセットを前記複数個のパラメータセットの中から抽出する最適解探索部をさらに備える、
請求項６に記載のシミュレーション装置。
【請求項８】
前記施設は、１つの店舗である、
請求項１に記載のシミュレーション装置。
【請求項９】
前記施設は、複数の店舗が集まったショッピングモールである、
請求項１に記載のシミュレーション装置。
【請求項１０】
前記施設は、複数のアトラクションが集まったテーマパークである、
請求項１に記載のシミュレーション装置。
【請求項１１】
ショッピングモール内の商品またはサービスの購入額をシミュレーションするシミュレーション装置であって、
前記ショッピングモール内を移動する人の流れを示す人流情報と、前記ショッピングモールを構成する複数の店舗で購入された商品またはサービスを示す購入データと、前記複数の店舗にて販売される商品またはサービスの価格を示す価格情報と、を取得する取得部と、
前記人流情報に基づいて、人流モデルを生成する人流モデル生成部と、
前記購入データと前記人流情報に基づいて、購入モデルを生成する購入モデル生成部と、
前記価格情報と前記人流モデルと前記購入モデルとに基づいて、前記ショッピングモール内を移動する人の商品またはサービスの購入額の予測値を算出するシミュレーション実行部と、を備える、
シミュレーション装置。
【請求項１２】
テーマパーク内の複数のアトラクションにおいて提供される商品またはサービスの購入額をシミュレーションするシミュレーション装置であって、
前記テーマパーク内を移動する人の流れを示す人流情報と、前記複数のアトラクションで提供された商品またはサービスを示す購入データと、前記複数のアトラクションで提供される商品またはサービスの価格を示す価格情報と、を取得する取得部と、
前記人流情報に基づいて、人流モデルを生成する人流モデル生成部と、
前記購入データと前記人流情報とに基づいて、購入モデルを生成する購入モデル生成部と、
前記価格情報と前記人流モデルと前記購入モデルとに基づいて、前記テーマパーク内を移動する人の商品またはサービスの購入額の予測値を算出するシミュレーション実行部と、を備える、
シミュレーション装置。
【請求項１３】
施設内の商品またはサービスの購入額をシミュレーションするシミュレーションシステムであって、
施設内を撮影した映像を出力する監視カメラと、
前記施設で購入された商品またはサービスを示す購入データを生成して出力する購入端末装置と、
前記映像及び前記購入データを使用して商品またはサービスの前記購入額の予測値を算出する、
請求項１から請求項１２までのいずれか１項に記載のシミュレーション装置と、
を含む、
シミュレーションシステム。
【請求項１４】
施設内の商品またはサービスの購入額をシミュレーションするシミュレーション方法であって、
取得部により、前記施設内を移動する人の流れを示す人流情報と、前記施設で購入された商品またはサービスを示す購入データと、前記施設内に配置された商品またはサービスの価格を示す価格情報とを取得するステップと、
制御部により、前記人流情報に基づいて、人流モデルを生成するステップと、
前記制御部により、前記購入データと前記人流情報とに基づいて、購入モデルを生成するステップと、
前記制御部により、前記価格情報と前記人流モデルと前記購入モデルとに基づいて、前記施設内を移動する人の商品またはサービスの前記購入額の予測値を算出するステップと、
を含む、シミュレーション方法。
【請求項１５】
前記取得するステップにおいて、複数のエリアで構成される施設内の各エリアの範囲を示すエリア情報と、前記施設内に配置された商品またはサービスの位置を示す位置情報とをさらに取得し、
前記人流モデルを生成するステップにおいて、前記エリア情報と前記人流情報とに基づいて、人が隣接する前記エリア間を移動する遷移確率を示す遷移確率情報を前記人流モデルとして生成し、
前記購入モデルを生成するステップにおいて、前記位置情報と前記購入データと前記エリア情報と前記人流情報とに基づいて、商品またはサービスの購入率を示す購入率情報を前記購入モデルとして生成し、
前記商品またはサービスの購入額の予測値を算出するステップにおいて、前記価格情報と前記位置情報と前記遷移確率情報と前記購入率情報とに基づいて、前記施設内を移動する人の商品またはサービスの前記購入額の予測値を算出する、
請求項１４に記載のシミュレーション方法。
【発明の詳細な説明】
【技術分野】
【０００１】
本開示は、店舗等の施設の売り上げをシミュレーションする、シミュレーション装置、シミュレーションシステム、及びシミュレーション方法に関する。
【背景技術】
【０００２】
特許文献１は、監視カメラから得られるデータとＰＯＳデータとを利用して、販売機会損失の指標を算出する分析システムを開示している。
【先行技術文献】
【特許文献】
【０００３】
【特許文献１】特許第５７３１７６６号公報
【発明の概要】
【０００４】
本開示は、店舗等の施設の売り上げをシミュレーションするのに有効なシミュレーション装置、シミュレーションシステム、及びシミュレーション方法を提供する。
【０００５】
本開示にかかるシミュレーション装置は、店舗等の施設内の商品またはサービスの購入額をシミュレーションするシミュレーション装置であって、施設内を移動する人の流れを示す人流情報と、施設で購入された商品またはサービスを示す購入データと、施設内に配置された商品またはサービスの価格を示す価格情報とを取得する取得部と、人流情報に基づいて、人流モデルを生成する人流モデル生成部と、購入データと人流情報とに基づいて、購入モデルを生成する購入モデル生成部と、価格情報と人流モデルと購入モデルとに基づいて、施設内を移動する人の商品またはサービスの購入額の予測値を算出するシミュレーション実行部と、を備える。
【０００６】
本開示にかかるシミュレーションシステムは、店舗等の施設内の商品またはサービスの購入額をシミュレーションするシミュレーションシステムであって、施設内を撮影した映像を出力する監視カメラと、施設で購入された商品またはサービスを示す購入データを生成して出力する購入端末装置と、映像及び購入データを使用して商品またはサービスの購入額の予測値を算出する、上記シミュレーション装置と、を含む。
【０００７】
本開示にかかるシミュレーション方法は、店舗等の施設内の商品またはサービスの購入額をシミュレーションするシミュレーション方法であって、取得部により、施設内を移動する人の流れを示す人流情報と、施設で購入された商品またはサービスを示す購入データと、施設内に配置された商品またはサービスの価格を示す価格情報とを取得するステップと、制御部により、人流情報に基づいて、人流モデルを生成するステップと、制御部により、購入データと人流情報とに基づいて、購入モデルを生成するステップと、制御部により、価格情報と人流モデルと購入モデルとに基づいて、施設内を移動する人の商品またはサービスの購入額の予測値を算出するステップと、を含む。
【０００８】
本開示のシミュレーション装置、シミュレーションシステム、及びシミュレーション方法は、店舗等の施設の売り上げをシミュレーションするのに有効である。
【図面の簡単な説明】
【０００９】
【図１】図１は、実施形態１のシミュレーションシステムの構成を示すブロック図である。
【図２】図２は、実施形態１のシミュレーション装置の制御部の内部構成を示すブロック図である。
【図３】図３は、実施形態１における店舗内のエリア分割と店舗内を移動する人の流れを説明するための図である。
【図４】図４は、図３の複数のエリアの一部の拡大図である。
【図５Ａ】図５Ａは、動線情報の一例を示す図である。
【図５Ｂ】図５Ｂは、エリア情報の一例を示す図である。
【図５Ｃ】図５Ｃは、遷移確率情報の一例を示す図である。
【図６】図６は、実施形態１における遷移確率を算出する動作を説明するためのフローチャートである。
【図７Ａ】図７Ａは、ＰＯＳデータの一例を示す図である。
【図７Ｂ】図７Ｂは、商品情報の一例を示す図である。
【図７Ｃ】図７Ｃは、購入率情報の一例を示す図である。
【図８】図８は、実施形態１における購入率を算出する動作を説明するためのフローチャートである。
【図９】図９は、実施形態１における購入額の予測値を算出する動作を説明するためのフローチャートである。
【図１０】図１０は、実施形態１における購入額の予測値を算出する動作を説明するための図である。
【図１１】図１１は、実施形態１における表示部の画面表示の一例を示す図である。
【図１２】図１２は、実施形態２のシミュレーション装置の制御部の内部構成を示すブロック図である。
【図１３】図１３は、実施形態２における遷移確率を説明するための図である。
【図１４Ａ】図１４Ａは、流出入情報の一例を示す図である。
【図１４Ｂ】図１４Ｂは、遷移確率情報の一例を示す図である。
【図１５】図１５は、実施形態２における遷移確率を算出する動作を説明するためのフローチャートである。
【図１６】図１６は、実施形態３における購入額の予測値を算出する動作を説明するためのフローチャートである。
【図１７】図１７は、実施形態４のシミュレーション装置の制御部の内部構成を示すブロック図である。
【図１８】図１８は、実施形態４におけるシミュレーションによりパラメータの最適値を算出する動作を説明するためのフローチャートである。
【発明を実施するための形態】
【００１０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者らは、当業者が本開示を十分に理解するために添付図面および以下の説明を提供するのであって、これらによって特許請求の範囲に記載の主題を限定することを意図するものではない。
【００１１】
（実施形態１）
本実施形態においては、店舗内を移動する人の流れ、店舗のレイアウト、又は店舗に配置された商品の位置を変更したと想定したときの、店舗の売り上げのシミュレーションを可能にするシミュレーションシステムを提供する。具体的には、本実施形態のシミュレーションシステムは、監視カメラの映像から得られる人の流れの情報と、ＰＯＳ端末装置から得られるＰＯＳデータと、複数のエリアに分割された店舗内の各エリアの範囲を示す情報と、店舗内に配置された商品の位置の情報とから、現在の買い回りパターン（遷移確率及び購入率）をモデル化して、シミュレーションにおける人の流れに関する人流モデル及び商品の購入に関する購入モデルを生成する。そして、モデル上で、人の流れ、店舗のレイアウト（エリア分割）、又は商品の位置を変更したときの商品購入額（店舗の売上金額）の予測値を算出する。これにより、人の流れ、店舗のレイアウト、又は商品の位置を変更したときの効果を事前に推定することを可能にする。
【００１２】
１．構成
図１は、実施形態１のシミュレーションシステムの構成を示している。シミュレーションシステム１は、店舗内を撮影した映像を出力する１つ以上の監視カメラ１００と、店舗で購入された商品を示すＰＯＳデータを生成して出力する１つ以上のＰＯＳ端末装置２００と、監視カメラ１００の映像とＰＯＳ端末装置２００のＰＯＳデータとを使用して、人の流れ、店舗のレイアウト、又は商品の位置を変更したときの商品購入額（売上金額）をシミュレーションするシミュレーション装置３００と、を含む。
【００１３】
監視カメラ１００は、ＣＣＤイメージセンサ、ＣＭＯＳイメージセンサ、又はＮＭＯＳイメージセンサなどの撮像部を備え、店舗内を撮影する。また、監視カメラ１００は、所定の通信規格（例えばＬＡＮ、ＷｉＦｉ）に準拠して外部機器との通信を行うためのインタフェース回路を備え、撮影した店舗内の映像を出力する。
【００１４】
ＰＯＳ端末装置２００は、スキャナ、ＣＣＤ、又はレーザなどを使用したバーコードリーダを備え、店舗内の人が購入した商品を表すＰＯＳデータ３４を生成する。また、ＰＯＳ端末装置２００は、所定の通信規格（例えばＬＡＮ、ＷｉＦｉ）に準拠して外部機器との通信を行うためのインタフェース回路を備え、生成したＰＯＳデータ３４を出力する。
【００１５】
シミュレーション装置３００は、入出力部１０と、シミュレーション装置３００全体を制御する制御部２０と、入力した種々の情報を格納する記憶部３０とを含む。
【００１６】
入出力部１０は、監視カメラ１００の映像とＰＯＳ端末装置２００のＰＯＳデータ３４とを受信する受信部１１と、ユーザからの入力を受け付ける入力部１２と、シミュレーション結果を表示する表示部１３とを含む。受信部１１は、所定の通信規格（例えばＬＡＮ、ＷｉＦｉ）に準拠して外部機器との通信を行うためのインタフェース回路を備える。入力部１２は、キーボード、マウス、又はタッチパネル等である。受信部１１及び入力部１２は外部から情報を取得する取得部に相当する。表示部１３は、液晶ディスプレイなどである。
【００１７】
記憶部３０は、受信部１１が受信した情報又は制御部２０が生成した情報を格納する。例えば、店舗内を移動する人の流れを示す動線情報（人流情報）３１、複数のエリアで構成される店舗内の各エリアの範囲を示すエリア情報３２、人が店舗内の隣接するエリア間を移動する確率を示す遷移確率情報３３、ＰＯＳ端末装置２００から送信されたＰＯＳデータ３４、店舗内に配置された商品の位置と価格を示す商品情報３５、商品の購入率を示す購入率情報３６、及び平均客単価情報３７を格納する。記憶部３０は、例えば、ＲＡＭ、ＤＲＡＭ、強誘電体メモリ、フラッシュメモリ、又は磁気ディスク、又はこれらの組み合わせによって実現できる。
【００１８】
図２は、制御部２０の内部構成を具体的に示している。図２において、制御部２０で取得して記憶部３０に格納する情報を点線で示している。制御部２０は、記憶部３０に格納されている情報を取得する取得部に相当する。制御部２０は、監視カメラ１００の映像に映っている人を識別して識別した人の位置を時系列で示す動線情報３１を生成する動線情報生成部２１と、動線情報３１とエリア情報３２とを使用して遷移確率情報３３を生成する遷移確率情報生成部（人流モデル生成部）２２と、商品情報３５とＰＯＳデータ３４とエリア情報３２と動線情報３１とに基づいて購入率情報３６を生成する購入率情報生成部（購入モデル生成部）２３と、を含む。なお、図２では、動線情報生成部２１は制御部２０に含まれているが、制御部２０の外で構成されてもよい。
【００１９】
制御部２０は、さらに、入力部１２を介して入力された、商品の位置の変更、遷移確率の変更、又は購入率の変更に基づいて、パラメータ（商品情報３５に含まれる商品の位置、遷移確率情報３３に含まれる遷移確率、又は購入率情報３６に含まれる購入率）を設定するパラメータ設定部２４と、設定されたパラメータに基づいて、１人当たりの商品購入額の予測値を算出するシミュレーション実行部２５とを含む。シミュレーション実行部２５は、１人当たりの商品購入額の予測値を示す平均客単価情報３７を生成する。１人当たりの商品購入額の予測値により、店舗全体の売上金額を予測することができる。表示部１３は、平均客単価情報３７に基づいて、平均客単価を表示する。
【００２０】
制御部２０は、半導体素子などで実現可能である。制御部２０の機能は、ハードウェアのみで構成してもよいし、ハードウェアとソフトウェアとを組み合わせることにより実現してもよい。制御部２０は、例えば、マイコン、ＣＰＵ、ＭＰＵ、ＤＳＰ、ＦＰＧＡ、ＡＳＩＣで構成することができる。
【００２１】
２．動作
２．１  人の動きモデルの作成（遷移確率の算出）
図３は、店舗内を複数のエリア（例えば、エリア「Ａ−０１」、「Ａ−０２」、「Ａ−０３」・・・）に分割した例を示している。図３の矢印Ｈ１、Ｈ２、Ｈ３は、店舗の入口から出口（レジ）に向かって移動した人の軌跡を示している。各エリアには商品が配置されている。本実施形態のシミュレーション装置３００は、人がどのエリアを通過するか（遷移確率）と、エリア内に配置されている商品を買うかどうか（購入率）と、に基づいて、店舗の売り上げをシミュレーションする。
【００２２】
図４は、図３の店舗内の一部を拡大した図である。図４では、映像の中で人物ＩＤ「０００１」として識別される人が、エリア「Ａ−０１」からエリア「Ａ−０２」に移動し、人物ＩＤ「０００２」として識別される人がエリア「Ａ−０１」からエリア「Ａ−０３」に移動し、エリア「Ａ−０１」からエリア「Ａ−０４」には誰も移動していないことを表している。また、エリア「Ａ−０１」には、商品Ａを含む商品棚Ｓ１が配置されていて、エリア「Ａ−０２」には、商品Ｂと商品Ｃを含む商品棚Ｓ２が配置されていることを示している。
【００２３】
図５Ａは、図３及び図４に示すような店舗内を移動する人を映像の中から識別して生成した動線情報３１の一例を示している。動線情報３１は、映像の中で識別した人物の識別情報（ＩＤ）と、その人物が存在する位置（Ｘ座標及びＹ座標）とを時系列で表した情報を含む。図５Ｂは、図３及び図４に示すような各エリアの範囲を示すエリア情報３２の一例を示している。エリア情報３２は、店舗内の各エリアの識別情報（ＩＤ）と範囲（Ｘ座標、Ｙ座標、幅、及び高さ）の情報を含む。図５Ｃは、動線情報３１とエリア情報３２とに基づいて算出される遷移確率を示す遷移確率情報３３の一例を示している。
【００２４】
図６に、遷移確率情報生成部２２による遷移確率の算出の動作を示す。遷移確率情報生成部２２は、所定期間（例えば、１日分）の動線情報３１を使用して、所定期間（例えば、１日分）の遷移確率を算出することによって遷移確率情報３３を生成する。遷移確率情報生成部２２が生成する遷移確率情報３３は、シミュレーションにおける、人の動きモデル（人流モデル）に相当する。また、遷移確率情報生成部２２は、人流モデルを生成する人流モデル生成部に相当する。
【００２５】
遷移確率情報生成部２２は、最初に、店舗内のエリアを一つ選択し（Ｓ６０１）、選択したエリア（移動元エリア）から移動可能なエリアをエリア情報３２に基づいて検索する（Ｓ６０２）。例えば、図４の移動元エリア「Ａ−０１」については、移動可能なエリア「Ａ−０２」、「Ａ−０３」、「Ａ−０４」が探し出される。遷移確率情報生成部２２は、動線情報３１とエリア情報３２とに基づいて、移動元エリアに存在していた全ての人物を抽出する（Ｓ６０３）。動線情報３１に示される人物の位置（Ｘ座標及びＹ座標）と、エリア情報３２に示されるエリアの範囲（Ｘ座標、Ｙ座標、幅、及び高さ）とから、各エリア内に存在する人物を抽出できる。例えば、移動元エリア「Ａ−０１」にいた人物を２人（人数Ｎ＝２）抽出する。遷移確率情報生成部２２は、動線情報３１とエリア情報３２とに基づいて、移動元エリア「Ａ−０１」にいた人物が移動した移動先エリアを検索する（Ｓ６０４）。動線情報３１に示される人物の位置（Ｘ座標及びＹ座標）と、エリア情報３２に示されるエリアの範囲（Ｘ座標、Ｙ座標、幅、及び高さ）とから、人物が移動した移動先エリアを検索できる。図４の例では、移動先エリアとして「Ａ−０２」と「Ａ−０３」が探し出される。遷移確率情報生成部２２は、「遷移確率Ｐ＝移動可能先エリアに移動した人数／移動元エリアにいた人数Ｎ」によって、移動可能先エリア毎に遷移確率を算出する（Ｓ６０５）。図４においては、移動元エリア「Ａ−０１」から移動可能先エリア「Ａ−０２」の遷移確率Ｐ＝１人／２人＝５０％、移動元エリア「Ａ−０１」から移動可能先エリア「Ａ−０３」の遷移確率Ｐ＝１人／２人＝５０％、移動元エリア「Ａ−０１」から移動可能先エリア「Ａ−０４」の遷移確率Ｐ＝０人／２人＝０％となる。遷移確率情報生成部２２は、店舗内の全ての移動元エリアからの遷移確率の算出が完了したか否かを判断し（Ｓ６０６）、未だであれば、ステップＳ６０１に戻り、遷移確率の算出処理を繰り返す。
【００２６】
なお、遷移確率を計算するステップＳ６０５では、カウントした人数から直接求めた遷移確率を利用する例を示した。実際のエリア間の人の移動は、離散的な現象であり、その人数をカウントした数値も確率的に変動する。従って直接求めた遷移確率も、時間的に大幅な変化をすることがある。そこで、エリア間の遷移確率は時間的に滑らかに変化するものであるとの仮定の下、計算された遷移確率を時間的に平滑化することも有効である。平滑化する方法としては、連続する複数の時間の遷移確率を平均化する移動平均を使う方法や、ガウス関数などを用いたカーネル確率密度推定、遷移確率がディレクレ分布に従うと仮定したパーティクルフィルタなどを利用することができる。このようにすれば、遷移確率の時間的な変化を考慮したシミュレーションを行うことも可能になる。
【００２７】
また、遷移確率は移動元エリアに存在した全人数に基づいて計算する例を示した。これは移動元エリアからの遷移確率は全来店客で一定とみなすことを意味する。より詳細なシミュレーションを行うため、特定の顧客グループごとの遷移確率を求めることも有効である。この場合、顧客グループごとにエリアの人数を求めて、それぞれで遷移確率を計算する。顧客グループとしては、性別・年齢や、服装などから推測される客層（主婦、サラリーマン、ブルーカラーなど）を利用することが有効である。あるいは、ＰＯＳデータや入店からレジで精算までの動線に基づいて、購入品や店内行動などが類似する顧客グループを、ＫＭＥＡＮＳなどクラスタリングの手法で自動的にグルーピングすることも有効である。
【００２８】
２．２  購入モデルの作成（購入率の算出）
図７Ａは、ＰＯＳ端末装置２００が生成し出力したＰＯＳデータ３４の一例を示している。ＰＯＳデータ３４は、購入された商品の識別情報（ＩＤ）と個数と価格と、購入された日時に関する情報を含む。図７Ｂは、商品情報３５の一例を示している。商品情報３５は、商品の識別情報（ＩＤ）と名称と価格（例えば、商品の単価）と、商品の位置として商品が配置されているエリアのＩＤとを含む。なお、商品情報３５は、商品が配置されている棚のＩＤを含んでも良い。図７Ｃは、ＰＯＳデータ３４と商品情報３５と動線情報３１とエリア情報３２とから生成される購入率情報３６を示している。購入率情報３６は、商品の識別情報（ＩＤ）と購入率とを含む。
【００２９】
図８に、購入率情報生成部２３が商品の購入率を算出する動作を示す。購入率情報生成部２３は、所定期間（例えば、１日分）のＰＯＳデータ３４と動線情報３１とを使用して、所定期間（例えば、１日分）の購入率を算出することによって、購入率情報３６を生成する。購入率情報生成部２３が生成する購入率情報３６は、シミュレーションにおける、購入モデルに相当する。また、購入率情報生成部２３は、購入モデルを生成する購入モデル生成部に相当する。
【００３０】
購入率情報生成部２３は、最初に、店舗内のエリアを一つ選択し（Ｓ８０１）、選択したエリアを通過した人物を全て、動線情報３１とエリア情報３２とに基づいて、抽出する（Ｓ８０２）。図４の例では、移動元エリア「Ａ−０１」を通過した人物を２人（通過人数Ｎ＝２）抽出する。購入率情報生成部２３は、選択したエリア内の棚にある商品のリストを商品情報３５から取得する（Ｓ８０３）。例えば、商品情報３５から、エリア「Ａ−０１」内の棚Ｓ１にある「商品Ａ」を取得する。購入率情報生成部２３は、選択したエリア内の棚にある商品の購入数をＰＯＳデータ３４から取得して、「商品の購入率＝購入数／通過人数Ｎ」から、その商品の購入率を算出する（Ｓ８０４）。例えば、ＰＯＳデータ３４から商品ＩＤ「０００Ａ」の購入数「１」を取得し、「商品Ａの購入率＝１／２＝５０％」を算出する。購入率情報生成部２３は、店舗内の全てのエリア内の商品の購入率の算出が完了したか否かを判断し（Ｓ８０５）、未だであれば、ステップＳ８０１に戻り、購入率の算出処理を繰り返す。例えば、図４の例では、エリア「Ａ−０２」を通過した人数「１」とエリア「Ａ−０２」内の棚Ｓ２にある「商品Ｂ」の購入数「１」とから、「商品Ｂの購入率＝１／１＝１００％」を算出する。また、エリア「Ａ−０２」を通過した人数「１」とエリア「Ａ−０２」内の棚Ｓ２にある「商品Ｃ」の購入数「０」とから、「商品Ｃの購入率＝０／１＝０％」を算出する。
【００３１】
なお、遷移確率の算出で述べたことと同様に、購入率を算出するステップＳ８０４も、時間的に過剰に変動することがある。ここでも商品ごとの購入率は時間的に滑らかに変化すると仮定して、時間的に平滑化することも有効である。このようにすれば、時間帯ごとの購入率の変化を考慮したシミュレーションを行うことも可能になる。
【００３２】
また、顧客グループごとに購入率を求めることも、遷移確率の場合と同様に有効である。この場合顧客のグループ分けは、遷移確率で利用したグループ分けと同一であることが望ましい。
【００３３】
２．３  シミュレーションの実行（平均客単価の算出）
図９に、シミュレーション実行部２５による、購入額の予測値（１人当たりの商品購入額を示す平均客単価）を算出する動作を示す。図１０に、購入額の予測値を算出する際の各種情報の使用例を示す。
【００３４】
シミュレーション実行部２５は、入力部１２を介して、ユーザから指定された試行回数を入力すると（Ｓ９０１）、シミュレーションを開始するために、まず、人物の位置を入口エリア（店舗の入口を含むエリア又は入口に最も近いエリア）に設定する（Ｓ９０２）。シミュレーション実行部２５は、購入率情報３６に基づいて、人物が入口エリアで商品を購入したか否かを判定し、購入したと判定した場合はその商品の金額を購入金額に加算する（Ｓ９０３）。例えば、シミュレーション実行部２５は、商品を購入したか否かの判定において、第１の値（例えば、１）から第２の値（例えば、１００）の乱数を発生させると共に、購入率に基づいて購入したか否かの判断となる閾値を設定する。図１０の例において、入口エリアが「Ａ−０１」の場合、商品ＩＤ「０００Ａ」の購入率「５０％」に基づいて、購入したと判断する閾値を「５０」に設定し、「１」から「５０」までの数値が出た場合は商品Ａを購入したと判断し、「５１」から「１００」までの数値が出た場合は商品Ａを購入しなかったと判断する。これにより、購入したと判断した場合は、商品Ａの価格２００円を購入金額に加える。
【００３５】
シミュレーション実行部２５は、遷移確率情報３３に基づいて、人物の移動先エリアを決定する（Ｓ９０４）。例えば、シミュレーション実行部２５は、人物がどのエリアに移動するかの判定において、第３の値（例えば、１）から第４の値（例えば、１００）の乱数を発生させると共に、遷移確率に基づいてどのエリアに移動するかの判断となる閾値を設定する。図１０の例では、エリア「Ａ−０１」からエリア「Ａ−０２」への遷移確率「５０％」と、エリア「Ａ−０１」からエリア「Ａ−０３」への遷移確率「５０％」と、エリア「Ａ−０１」からエリア「Ａ−０４」への遷移確率「０％」とに基づいて、閾値を「５０」と「１００」に設定する。そして、「１」から「５０」までの数値が出た場合はエリア「Ａ−０２」に移動したと判断し、「５１」から「１００」までの数値が出た場合はエリア「Ａ−０３」に移動したと判断する。シミュレーション実行部２５は、決定した移動先エリアが出口エリア（店舗の出口を含むエリア又は出口に最も近いエリア）であるか否かを判断する（Ｓ９０５）。出口エリアでなければ（Ｓ９０５でＮｏ）、ステップＳ９０３に戻り、移動先エリアにおいて人物が商品を購入したか否かを判定し、購入したと判定した場合は購入金額に加算する。このようにして、移動先エリアが出口エリアになるまで、購入金額を加算していく。
【００３６】
移動先エリアが出口エリアになると（Ｓ９０５でＹｅｓ）、シミュレーション実行部２５は、それまで加算した購入金額（入口エリアから出口エリアまで移動した人の全購入金額）の情報を記憶部３０に記録する（Ｓ９０６）。シミュレーション実行部２５は、試行回数に達するまでの間（Ｓ９０７でＮｏ）、人物が入口エリアから出口エリアまで移動したと想定してその人物が購入する商品の金額を算出する処理を繰り返す。計算する度に乱数の値が変わるため、入口エリアから出口エリアまで移動する人物が通過するエリアと通過したエリア内の商品を購入するかどうかが変化し、試行回数のそれぞれにおいて、異なる購入金額が算出される。試行回数に達すると（Ｓ９０７でＹｅｓ）、シミュレーション実行部２５は、ステップＳ９０１で入力した試行回数と、ステップＳ９０６で記録した購入金額の合計とにより、「平均客単価＝全試行回数の購入金額の合計／試行回数」を計算して、平均客単価を算出する（Ｓ９０８）。シミュレーション実行部２５は、算出した平均客単価を示す平均客単価情報３７を記憶部３０に記録する。
【００３７】
図９に示すシミュレーションを行う際に、ユーザは、遷移確率情報３３、購入率情報３６、及び商品情報３５を参照して、タッチパネル等の入力部１２に、変更したいパラメータ（遷移確率、購入率、及び商品位置）について変更後の値を入力することによって、所望のシミュレーションを実行することができる。例えば、遷移確率情報３３内の遷移確率（パラメータ）を変更することにより、人の流れを変えたシミュレーションを実行することができる。また、遷移確率情報３３内の遷移確率（パラメータ）と購入率情報３６内の購入率（パラメータ）とを変更することにより、店舗のレイアウトを変えたシミュレーションを実行することができる。さらに、商品情報３５内の商品位置（パラメータ）を変更することにより、商品の位置を変更してシミュレーションを実行することができる。ユーザが、入力部１２を介してパラメータを変更すると、パラメータ設定部２４は、ユーザが設定した変更に応じて、他に変更が必要となるパラメータの値を変更する。シミュレーション実行部２５は、パラメータ設定部２４によって設定されたパラメータに基づいて、図９に示すシミュレーションを実行する。
【００３８】
なお、どの商品をどの位置に移動すべきかに関する候補群を、表示部１３のパラメータ設定画面に表示すると、操作者にとって判りやすくなる。このため商品ごとに、当該商品が所定の位置に置かれることの効果を数値化した、商品位置評価値を求める。パラメータ設定画面では、商品の置き換えによって、商品位置評価値が向上する組合せを置き換え候補として表示する。商品位置評価値は、例えば、商品の購入率と商品棚前の遷移確率の積を利用することが有効である。この積は、より購入されやすい商品を買い物客の目により触れるようにすることを意味する評価値で、買い忘れ防止など気付きを与える指標となる。また、ここでも顧客をグルーピングすることが効果的で、グループごとの購入率や棚前遷移確率を用いて評価値を算出することで、より精度の高い評価値とすることができる。さらに、グループ単位で算出した評価値を、グループの人数比に基づいた重み付けで加算した値を、来店客全体の評価値とすることも有効である。
【００３９】
図１１に、表示部１３が表示する画面の一例を示す。表示部１３は、平均客単価情報３７に基づいて、例えば、図１１に示すように、パラメータ変更前と変更後のシミュレーション結果（平均客単価）を表示する。なお、現在の平均客単価は、人の動きモデル（パラメータ変更前の遷移確率情報３３）と購入モデル（パラメータ変更前の購入率情報３６）とに基づいてシミュレーションにより算出しても良いし、動線情報３１とＰＯＳデータ３４から得られる実際の値に基づいて算出しても良い。
【００４０】
なお、上述の通り遷移確率や商品の購入率を、時間帯ごとの変化や顧客グループに基づいて求めておくことで、シミュレーションをより高精度に行うことが可能になる。さらに、顧客グループの人数比率やさらにその時間帯ごとの変化も計測しておけば、例えば夕方前に主婦グループの割合が増加するなどの変化を、遷移確率や購入率の変化として表現できるようになるので、シミュレーションを高精度化できる。また、グループ比率を変化させるパラメータをパラメータ設定部２４に設けることで、どのようなグループを増やすことができれば、特定商品や店舗全体の売上を伸ばすことができるかをシミュレーションすることも可能になる。
【００４１】
３．効果等
従来は、ＰＯＰ広告や呼込みなどによって人の流れを変える場合、又はレイアウトや商品の位置などを変更した場合に、どの程度の効果があるのかを事前に推定する方法がなかった。一方、本開示のシミュレーションシステム１は、監視カメラ１００の映像から得られる動線情報３１と、ＰＯＳ端末装置２００から得られるＰＯＳデータ３４と、店舗内のエリア情報３２と、商品情報３５とから、現在の買い回りパターン（遷移確率及び購入率）をモデル化し、モデル上で、人の流れ、店舗のレイアウト、又は商品の位置を変更したときの店舗の売上金額（平均客単価）の予測値を算出するシミュレーションを行う。よって、人の流れ、店舗のレイアウト、又は商品の位置を変更したときの効果をシミュレーションにより事前に推定することが可能になる。これにより、施策実施の可否判断の指標を得ることができる。
【００４２】
なお、本実施形態においては、シミュレーション装置３００は、シミュレーションにより得られる結果（平均客単価）を表示部１３に表示したが、シミュレーション結果の出力は表示部１３による表示に限らない。例えば、シミュレーション装置３００は、平均客単価情報３７をシミュレーション装置３００に有線又は無線で接続された外部機器に送信しても良いし、記録媒体に記録しても良いし、又はプリンタに出力しても良い。
【００４３】
なお、本実施形態において、ＰＯＳ端末装置２００によりＰＯＳデータ３４を出力するとしたが、その他の購入端末装置で購入データを出力するとしてもよい。
【００４４】
（実施形態２）
実施形態２のシミュレーション装置３００は、動線情報３１に代えて、店舗内の隣接するエリア間を移動した人数を示す流出入情報（人流情報）を生成する。図１２に、本実施形態のシミュレーション装置３００の制御部２０の内部構成を示す。本実施形態において制御部２０は、図２の動線情報生成部２１に代えて、監視カメラ１００の映像から店舗内の隣接するエリア間を移動した人数を示す流出入情報３８を生成する流出入情報生成部２６を備える。なお、図１２において、流出入情報生成部２６は制御部２０に含まれているが、制御部２０の外で構成されてもよい。
【００４５】
図１３は、店舗内を複数のエリアに分割したときの複数のエリアの一部と、エリアを移動する人を表している。流出入情報生成部２６は、例えばエリア情報３２を参照して、隣接するエリア間の境界線を越えた人数をカウントする。図１３の例では、エリア「Ａ−０１」から境界線Ｌ１を越えた人数を、エリア「Ａ−０１」からエリア「Ａ−０３」に移動した人数として計測し、エリア「Ａ−０１」から境界線Ｌ２を越えた人数を、エリア「Ａ−０１」からエリア「Ａ−０２」に移動した人数として計測する。
【００４６】
図１４Ａは、流出入情報生成部２６によって生成される流出入情報３８の一例を示している。流出入情報３８は、移動元エリアのＩＤと、移動先エリアのＩＤと、移動元エリアから移動先エリアに移動した人数（流出入人数）と、移動した日時（移動人数をカウントした日時）とを含む。遷移確率情報生成部２２は、この流出入情報３８とエリア情報３２とを使用して、図１４Ｂに示すような遷移確率情報３３を生成する。
【００４７】
図１５に、遷移確率情報生成部２２による遷移確率の算出の動作を示す。遷移確率情報生成部２２は、所定期間（例えば、１日分）の流出入情報３８を使用して、所定期間（例えば、１日分）の遷移確率を算出することによって遷移確率情報３３を生成する。
【００４８】
遷移確率情報生成部２２は、最初に、店舗内のエリアを一つ選択し（Ｓ１５０１）、選択したエリア（移動元エリア）から移動可能なエリアをエリア情報３２に基づいて検索する（Ｓ１５０２）。例えば、図１３の移動元エリア「Ａ−０１」については、移動可能なエリア「Ａ−０２」、「Ａ−０３」、「Ａ−０４」が探し出される。遷移確率情報生成部２２は、流出入情報３８に基づいて、選択した移動元エリアから流出した人数の合計値Ｎを取得する（Ｓ１５０３）。図１３及び図１４Ａの例では、移動元エリア「Ａ−０１」から流出した人数として「２人」を取得する。遷移確率情報生成部２２は、流出入情報３８とエリア情報３２とに基づいて、「遷移確率Ｐ＝移動可能先エリアに流入した人数／移動元エリアから流出した人数Ｎ」によって、移動可能先エリア毎に遷移確率を算出する（Ｓ１５０４）。図１３及び図１４Ａにおいては、エリア「Ａ−０１」からエリア「Ａ−０２」への遷移確率Ｐ＝１人／２人＝５０％、エリア「Ａ−０１」からエリア「Ａ−０３」の遷移確率Ｐ＝１人／２人＝５０％、エリア「Ａ−０１」からエリア「Ａ−０４」の遷移確率Ｐ＝０人／２人＝０％となる。遷移確率情報生成部２２は、店舗内の全ての移動元エリアからの遷移確率の算出が完了したか否かを判断し（Ｓ１５０５）、未だであれば、ステップＳ１５０１に戻り、遷移確率の算出処理を繰り返す。
【００４９】
このように、本実施形態のシミュレーション装置３００は、エリア間の境界線を越えた人数をカウントすることによって遷移確率を算出している。本実施形態によれば、実施形態１のように映像に映っている人物を追跡する必要がないため、遷移確率の算出に必要な処理が簡単になる。
【００５０】
（実施形態３）
実施形態３においては、入口から出口に移動するときに通過する確率の高いエリアを人が通過したときのシミュレーションを実行する。本実施形態のシミュレーションシステムの構成は、実施形態１又は実施形態２のシミュレーションシステム１と同一である。
【００５１】
図１６に、本実施形態のシミュレーション実行部２５が平均客単価を算出する動作を示す。シミュレーション実行部２５は、入力部１２を介して、ユーザが設定した抽出件数（件数＝Ｎ）を入力する（Ｓ１６０１）。シミュレーション実行部２５は、遷移確率情報３３に基づいて、入口エリア（入口を含むエリア又は入口に最も近いエリア）から出口エリア（出口を含むエリア又は出口に最も近いエリア）に到達する経路の中で、人が通る確率である通過確率Ｐの高い経路を高い順にＮ件抽出する（Ｓ１６０２）。通過確率Ｐは、例えば、入口エリアから出口エリアまでの経路内に位置するエリア間の遷移確率を乗算することによって得られる。シミュレーション実行部２５は、例えば、ダイクストラ法等の経路探索アルゴリズムを使用して、通過確率の高い経路を抽出しても良い。
【００５２】
シミュレーション実行部２５は、商品情報３５と購入率情報３６とを参照し、抽出したＮ件の経路の各々について経路上に存在する商品の購入率と価格に基づいて、各経路の平均客単価Ｃを「平均客単価Ｃ＝Σ（購入率×価格）」により算出する（Ｓ１６０３）。
【００５３】
その後、シミュレーション実行部２５は、全体の平均客単価を「全体の平均客単価＝Σ（通過確率Ｐ×平均客単価Ｃ）」により算出する（Ｓ１６０４）。
【００５４】
本実施形態によれば、入口エリアから出口エリアに到達する経路の中で、通過確率の高い経路に基づいた売り上げのシミュレーションを行うことができる。
【００５５】
（実施形態４）
実施形態４のシミュレーションシステム１は、パラメータ（商品情報３５に含まれる商品の位置、遷移確率情報３３に含まれる遷移確率、及び購入率情報３６に含まれる購入率）の最適設定値を抽出する。
【００５６】
図１７に、本実施形態のシミュレーション装置３００の制御部２０の内部構成を示す。本実施形態において制御部２０は、売上金額（平均客単価）が最大となるパラメータセットを探し出す最適解探索部２７を含む。パラメータセットは、商品情報３５、遷移確率情報３３、及び購入率情報３６の組み合わせである。
【００５７】
図１８に、制御部２０による最適なパラメータセットの探索動作を示す。パラメータ設定部２４は、入力部１２を介して、ユーザが設定したパラメータの変化範囲を入力する（Ｓ１８０１）。パラメータの変化範囲は、例えば、商品の位置、遷移確率、又は購入率の値が変化する範囲である。パラメータ設定部２４は、ユーザが設定したパラメータの変化範囲内で、遷移確率、商品の位置、及び購入率の値を設定することによって、複数のパラメータセットを生成する（Ｓ１８０２）。シミュレーション実行部２５は、生成されたパラメータセットの中から一つを選択し（Ｓ１８０３）、図９のステップＳ９０１〜Ｓ９０８に示すシミュレーションを実行し、売上金額（平均客単価）を算出する（Ｓ１８０４）。
【００５８】
最適解探索部２７は、その他のパラメータセットに基づいて既に算出済みの売上金額（平均客単価）があれば、その算出済み売上金額と比較して、今回のパラメータセットを使用したシミュレーションによって算出した売上金額が最大か否かを判断する（Ｓ１８０５）。今回のパラメータセットを使用したシミュレーションによって算出した売上金額が最大であれば、今回のパラメータセットを最適設定値として、記憶部３０に記憶する（Ｓ１８０６）。シミュレーション実行部２５は、ステップＳ１８０２で生成したパラメータセットの全てについてシミュレーションが完了したか否かを判断し（Ｓ１８０７）、未だであれば、ステップＳ１８０３に戻り、その他のパラメータセットに基づいてシミュレーションを実行する。このようにして、ステップＳ１８０２で生成した全てのパラメータセットの中から売上金額（平均客単価）が最大のパラメータセットを抽出する。
【００５９】
本実施形態によれば、売上金額（平均客単価）が最大となるパラメータセットを抽出することができる。
【００６０】
本開示のシミュレーションシステム１は、ハードウェア資源、例えば、プロセッサ、メモリ、及びプログラムとの協働などによって、実現可能である。
【００６１】
（他の実施形態）
実施形態１〜４では、店舗にて取り扱う対象は、商品であるとして説明した。しかしながら、顧客との取引対象となるものは、商品だけではなく、サービスにも当てはまる。店舗の中でも、理髪店やゲームセンターは、商品を販売するのではなく、整髪したり、ゲームを楽しんだりすることにより、顧客との取引を行う。これらの活動はサービスであり、このようなサービスによる売上金額（平均客単価）のシミュレーションも、本開示の内容を実施することにより、可能となる。
【００６２】
また、施設には、店舗だけでなく、複数の店舗が集まったショッピングモール（商店街）や様々な複数のアトラクションが集まったテーマパークなどが考えられる。そして、これらのショッピングモールやテーマパークに対しても、本開示に係るシミュレーション装置が適用できる。
【００６３】
たとえば、ショッピングモールに適用する場合、本開示に係るシミュレーション装置は、ショッピングモール内を移動する人の流れを示す人流情報と、ショッピングモールを構成する各店舗で購入された商品またはサービスを示すＰＯＳデータ（購入データ）と、各店舗にて販売される商品またはサービスの価格を示す価格情報と、を取得する取得部と、人流情報に基づいて、人流モデルを生成する人流モデル生成部と、ＰＯＳデータと人流情報とに基づいて、購入モデルを生成する購入モデル生成部と、価格情報と人流モデルと購入モデルとに基づいて、ショッピングモール内を移動する人の商品またはサービスの購入額の予測値を算出するシミュレーション実行部と、を備える。なお、店舗には一時的に設営される露店等も含まれる。
【００６４】
このようなシミュレーション装置を実施することにより、ショッピングモールにおける売上金額（平均客単価）のシミュレーションができる。
【００６５】
テーマパークに適用する場合、本開示に係るシミュレーション装置は、テーマパーク内を移動する人の流れを示す人流情報と、テーマパーク内に設けられた各アトラクション提供された商品またはサービスを示すＰＯＳデータと、各アトラクションにて提供される商品またはサービスの価格を示す価格情報と、を取得する取得部と、人流情報に基づいて、人流モデルを生成する人流モデル生成部と、ＰＯＳデータと人流情報に基づいて、購入モデルを生成する購入モデル生成部と、価格情報と人流モデルと購入モデルとに基づいて、テーマパーク内を移動する人のアトラクションを利用することによる商品またはサービスの購入額の予測値を算出するシミュレーション実行部と、を備える。
【００６６】
このようなシミュレーション装置を実施することにより、テーマパークにおけるアトラクション利用による売上金額（平均客単価）のシミュレーションができる。
【００６７】
さらに、インターネットを利用した商品またはサービスの取引を行う場合にも、本開示の内容を実施することができる。たとえば、IT（コンピュータ等）を使ったネット取引では、コンバージョン率を向上させることに、本開示の内容は貢献する。コンバージョンとは、ネットショッピング等での商品やサービスの購入をいう。そして、コンバージョン率とは、ある商品やサービスの販売サイトに訪問した人の数に対して、実際に商品やサービスを購入した人の数の割合をいう。本開示に係るシミュレーションシステムを実施することにより、コンバージョン率の向上を図ることが可能となる。なお、商品やサービスの購入にまで至らなくても、そのサイトでの会員登録や資料請求がなされた場合をコンバージョン率として設定し、本開示に係るシミュレーション装置を実施することも可能である。
【００６８】
以上のように、本出願において開示する技術の例示として、実施形態１〜４を説明した。しかしながら、本開示における技術は、これに限定されず、適宜、変更、置き換え、付加、省略などを行った実施形態にも適用可能である。また、上記実施形態１〜４で説明した各構成要素を組み合わせて、新たな実施形態とすることも可能である。
【００６９】
添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７０】
また、上述の実施形態は、本開示における技術を例示するためのものであるから、特許請求の範囲またはその均等の範囲において種々の変更、置き換え、付加、省略などを行うことができる。
【産業上の利用可能性】
【００７１】
本開示は、店舗の売り上げをシミュレーションする、シミュレーション装置、シミュレーションシステム、及びシミュレーション方法に適用可能である。
【符号の説明】
【００７２】
１      シミュレーションシステム
１０    入出力部
１１    受信部
１２    入力部
１３    表示部
２０    制御部
２１    動線情報生成部
２２    遷移確率情報生成部
２３    購入率情報生成部
２４    パラメータ設定部
２５    シミュレーション実行部
２６    流出入情報生成部
２７    最適解探索部
３０    記憶部
１００  監視カメラ
２００  ＰＯＳ端末装置
３００  シミュレーション装置
【図１】
2018008203.tif 000003
【図２】
2018008203.tif 000004
【図３】
2018008203.tif 000005
【図４】
2018008203.tif 000006
【図５Ａ】
2018008203.tif 000007
【図５Ｂ】
2018008203.tif 000008
【図５Ｃ】
2018008203.tif 000009
【図６】
2018008203.tif 000010
【図７Ａ】
2018008203.tif 000011
【図７Ｂ】
2018008203.tif 000012
【図７Ｃ】
2018008203.tif 000013
【図８】
2018008203.tif 000014
【図９】
2018008203.tif 000015
【図１０】
2018008203.tif 000016
【図１１】
2018008203.tif 000017
【図１２】
2018008203.tif 000018
【図１３】
2018008203.tif 000019
【図１４Ａ】
2018008203.tif 000020
【図１４Ｂ】
2018008203.tif 000021
【図１５】
2018008203.tif 000022
【図１６】
2018008203.tif 000023
【図１７】
2018008203.tif 000024
【図１８】
2018008203.tif 000025
【国際調査報告】
2018008203.tif 000026
2018008203.tif 000027
2018008203.tif 000028
2018008203.tif 000029